Podtech/llm-jp-corpus-v4-ja_patent huggingface dataset:
【手続補正書】
【提出日】平成17年1月6日(2005.1.6)
【手続補正１】
【補正対象書類名】明細書
【補正対象項目名】特許請求の範囲
【補正方法】変更
【補正の内容】
【特許請求の範囲】
【請求項１】
データを記憶媒体に記憶する方法であって、
前記データを、各グループが１以上のデータブロックを含む１以上のグループとして組み合わせるステップと、
前記１以上のグループのデータブロックで前記媒体に前に書き込まれたデータを上書きするか、それとも前記１以上のグループのデータブロックを前記媒体に前に書き込まれたデータに追加するかを判定するステップと、
前記グループのいずれかの追加データブロックのうちの少なくとも幾つかに、前記記録媒体上の前記データブロックの他のデータブロックに対する順序を示すブロック順序コードを含めるステップと、
上書きまたは追加するデータブロックの各グループに、最初に上書きまたは追加するデータブロックのブロック順序コードを識別する追加ポイントコードを組み込むステップと、
前記１以上のグループを前記記憶媒体に記憶するステップと、
からなり、
それによって、その後、上書きまたは追加した前記１以上のグループのデータブロックから前記追加ポイントコードを取り出すことにより、前に書き込まれたデータと前記上書きまたは追加したデータとの間の境界位置を判定できるようにする、方法。
【請求項２】
ブロック順序コードが全ての前記データブロックに含められる、請求項１に記載の方法。
【請求項３】
前記データは、書き込みヘッドと前記記憶媒体との間の相対運動によって書き込まれ、
前記方法は、前に書き込まれたデータと上書きまたは追加したデータとの間の境界位置の判定を用いて、選択されたヘッドを前記境界に物理的に近接した位置に位置決めするステップをさらに含む、請求項１または請求項２に記載の方法。
【請求項４】
データのストリームを記憶媒体に記憶する装置であって、
前記データを、各グループが前記記憶媒体へ書き込むための１以上のデータブロックを含む１以上のグループとして組み合わせるためのデータアセンブリ手段(44)と、
前記１以上のグループのデータブロックで前記媒体に前に書き込まれたデータを上書きするか、それとも前記１以上のグループのデータブロックを前記媒体に前に書き込まれたデータに追加するかを判定する追加方式判定手段(43)と、
上書きまたは追加するデータを含む前記データブロックのうちの少なくとも幾つかに、前記記録媒体上の前記データブロックの他のデータブロックに対する順序を示すブロック順序コードを含めるためのブロック順序付け手段(43)と、
上書きまたは追加するデータブロックの各グループに、最初に上書きまたは追加するデータブロックのブロック順序コードを識別する追加ポイントコードを組み込むための手段(43,67)と、
前記データブロックを前記記憶媒体に順次書き込むための手段(42,40)と、
上書きまたは追加したデータを読み出す際に、上書きまたは追加したデータブロックの前記グループのうちの１つから前記追加ポイントコードを参照して、前記上書きまたは追加したデータと前に書き込まれたデータとの間の境界位置を判定する追加ポイント判定手段(41,43,67)と、
からなる装置。
【請求項５】
１以上の以前のグループの１以上のデータブロックと、少なくとも１つの上書きまたは追加グループの１以上のデータブロックとが記憶された記憶媒体からデータのストリームを読み出すための装置であって、前記少なくとも１つの上書きまたは追加グループのデータブロックのうちの少なくとも幾つかがそれぞれ、前記記憶媒体上の前記データブロックの他のデータブロックに対する順序を識別するブロック順序コードを含み、前記上書きまたは追加グループがそれぞれ、最初に追加されたデータブロックのブロック順序コードを識別する追加ポイントコードを含むものにおいて、
前記記憶媒体から前記上書きまたは追加グループを読み出すための読み出し手段と、
前記上書きまたは追加グループから追加ポイントコードを取り出して、前に書き込まれたデータと前記上書きまたは追加したデータとの間の境界位置を判定するための処理手段(43)と、
からなる装置。
【請求項６】
前記読み出し手段は、前記記憶媒体に対して相対的に移動する読み出しヘッド(HRA,HRB)を含み、前記装置は、前記処理手段に応答して前記読み出しヘッドを前記境界に近接する位置に位置決めする記憶媒体駆動手段をさらに含む、請求項５に記載の装置。
【請求項７】
前記読み出し手段によって受信された信号を較正するための較正手段を含み、該較正手段は、前記処理手段によって識別された境界の判定に応じて新たな較正ルーチンを開始または起動する、請求項５に記載の装置。
【請求項８】
請求項１〜３のうちのいずれか一項に記載の方法に従って書き込まれたデータを監視する方法であって、
前記データを読み出すステップと、
連続するデータグループの追加ポイントコードを監視するステップと、
データグループ内の追加ポイントコードが、先行するデータグループの追加ポイントによって示される先行する追加ポイントを示すものであった場合、古いデータの警告を生成するステップと、
からなる方法。
【手続補正書】
【提出日】平成16年3月10日(2004.3.10)
【手続補正１】
【補正対象書類名】明細書
【補正対象項目名】特許請求の範囲
【補正方法】変更
【補正の内容】
【特許請求の範囲】
【請求項１】
オーステナイトのステンレス鋼又はニッケル合金鋼から形成された構成材の表面上に酸化物被膜を生成するための方法で、当該構成材が表面に自然形成された酸化物のフィルムをもち、当該方法が、
２５０℃−３００℃の温度の第１の期間に、循環乾燥空気の存在下で表面を加熱すること、
第１の期間中の温度より高い温度の第２の期間に、高圧下で静止乾燥空気の存在下で表面を加熱すること、
により表面上に自然形成された酸化物のフィルムを強化させること、並びに
酸化処理により強化された酸化物被膜の外側の部分を除去して、それにより高いクロム対鉄の比率をもつ酸化物の被膜がステンレス鋼の表面に露出されること、の段階を含んでなる、
方法。
【手続補正２】
【補正対象書類名】明細書
【補正対象項目名】００２８
【補正方法】変更
【補正の内容】
【００２８】
これらの結果は図６の棒グラフにより説明され、そこで、９０で表された各棒は未処理の構成材に対応し、９５で表された各棒は前記の方法で処理された構成材に対応する。このような記号は図７においても使用されている。


【手続補正３】
【補正対象書類名】明細書
【補正対象項目名】００３４
【補正方法】変更
【補正の内容】
【００３４】
これらの試験は、オーステナイトのステンレス鋼又はニッケル合金鋼と、これらの鋼が様々な適用において接触する溶液との間に、有意に、より有効なバリヤーを提供するフィルムを形成するための、本発明の有効性を示している。
【手続補正４】
【補正対象書類名】明細書
【補正対象項目名】００３５
【補正方法】変更
【補正の内容】
【００３５】
それらの基礎となる説から逸脱せずに、前記のシステムに数々の修正を実施することができる。
【手続補正５】
【補正対象書類名】明細書
【補正対象項目名】００３６
【補正方法】変更
【補正の内容】
【００３６】
本発明は、１種類以上の具体的な態様について実質的に詳細に説明されたが、当業者は、付記された請求項に示されるような本発明の範囲及び精神から逸脱せずに、それらに変更を加えることができることを認めるであろう。
本発明の主たる特徴及び態様は以下のとおりである。
１．  オーステナイトのステンレス鋼又はニッケル合金鋼から形成された構成材の表面上に酸化物被膜を生成するための方法で、当該構成材が表面に自然形成された酸化物のフィルムをもち、当該方法が、
２５０℃−３００℃の温度の第１の期間に、循環乾燥空気の存在下で表面を加熱すること、
第１の期間中の温度より高い温度の第２の期間に、高圧下で静止乾燥空気の存在下で表面を加熱すること、
により表面上に自然形成された酸化物のフィルムを強化させること、並びに
酸化処理により強化された酸化物被膜の外側の部分を除去して、それにより高いクロム対鉄の比率をもつ酸化物の被膜がステンレス鋼の表面に露出されること、の段階を含んでなる、
方法。
２．  第１の期間が約１時間である、上記１の方法。
３．  第２の期間中の温度が約４２５℃である、上記１の方法。
４．  加熱の第２の期間中の温度が約４２５℃である上記２の方法。
５．  第２の期間が約２時間である、上記１の方法。
６．  第２の期間が約２時間である、上記２の方法。
７．  第２の期間が約２時間である、上記３の方法。
８．  第２の期間が約２時間である、上記４の方法。
９．  高圧が約１．５インチ水柱である、上記１の方法。
１０．  高圧が約１．５インチ水柱である、上記３の方法。
１１．  高圧が約１．５インチ水柱である、上記５の方法。
１２．  高圧が約１．５インチ水柱である、上記７の方法。
１３．  酸化処理が約１０パーセントのリン酸溶液中に表面を浸漬することを含んでなる、上記１の方法。
１４．  酸化処理が約１０パーセントのリン酸溶液中に表面を浸漬することを含んでなる、上記３の方法。
１５．  酸化処理が約１０パーセントのリン酸溶液中に表面を浸漬することを含んでなる、上記７の方法。
１６．  酸化処理が約１０パーセントのリン酸溶液中に表面を浸漬することを含んでなる、上記９の方法。
１７．  第１の期間中の温度が３００℃である、上記１の方法。
【手続補正６】
【補正対象書類名】明細書
【補正対象項目名】図８
【補正方法】削除
【補正の内容】
【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
ミオイノシトールをグルクロン酸に酸化する方法であって、
(a)  ミオイノシトールオキシゲナーゼ活性を有するポリペプチドをコードする核酸分子を細胞に導入することにより形成された、ポリペプチドを発現する細胞を調製すること、および
(b)  ポリペプチドをミオイノシトールと接触させてグルクロン酸に酸化させること、を含んで成る前記方法。
【請求項２】
細胞がエシェリキア(Escherichia)、シュードモナス（Pseudomonas）、バチルス（Bacillus）、ラクトバチルス（Lactobacillus）、ラクトコッカス（Lactococcus）、およびコリネバクテリウム（Corynebacterium）細胞よりなる群から選択される原核細胞である、請求項１に記載の方法。
【請求項３】
(a)  ミオイノシトール、および
(b)  １以上の外因性核酸分子、
を含む細胞であって、１以上の外因性核酸分子がミオイノシトールオキシゲナーゼ活性を有するポリペプチドを少なくとも１つコードし、細胞が前記少なくとも１つのポリペプチドを発現する前記細胞。
【請求項４】
細胞がエシェリキア(Escherichia)、シュードモナス（Pseudomonas）、バチルス（Bacillus）、ラクトバチルス（Lactobacillus）、ラクトコッカス（Lactococcus）、およびコリネバクテリウム（Corynebacterium）細胞よりなる群から選択される原核細胞である、請求項３に記載の細胞。
【請求項５】
細胞がアスコルビン酸、グルクロン酸、またはグルカル酸を産生する、請求項３に記載の細胞。
【請求項６】
ミオイノシトールオキシゲナーゼ活性を減少させる遺伝的改変を含む細胞。
【請求項７】
配列番号１に記載の配列と少なくとも約70パーセント同一の核酸配列を含む、単離された核酸分子。
【請求項８】
配列番号19に記載の配列と少なくとも約70パーセント同一のアミノ酸配列を有するポリペプチドをコードする、単離された核酸分子。
【請求項９】
アスコルビン酸の産生方法であって、
(a)  ミオイノシトールに、ミオイノシトールオキシゲナーゼ活性を有する第１のポリペプチドを接触させてグルクロネートを形成させ、ここで第１のポリペプチドは細胞内にあり、
(b)  グルクロネートに、グルクロネート還元酵素活性を有する第２のポリペプチドを接触させてグロネートを形成させ、
(c)  グロネートに、1,4-ラクトンヒドロキシアシルヒドロラーゼ活性およびD-グルコノ-1,5-ラクトンラクトノヒドロラーゼ活性よりなる群から選択される活性を有する第３のポリペプチドを接触させてグロノ-γ-ラクトンを形成させ、
(d)  グロノ-γ-ラクトンに、グロノ-γ-ラクトンオキシダーゼ活性、ガラクトノ-γ-ラクトンオキシダーゼ活性、およびグロノ-ラクトン脱水素酵素活性よりなる群から選択される活性を有する第４のポリペプチドを接触させてアスコルビン酸を形成させる、
ことを含む方法であり、１グラムの乾燥細胞重量あたり１時間で少なくとも10mgのアスコルビン酸が産生される上記方法。
【請求項１０】
グルカル酸の産生方法であって、
(a)  ミオイノシトールをグルクロン酸に変換し、そして
(b)  グルクロン酸をグルカル酸に変換する、
ことを含む上記方法。
【請求項１１】
アスコルビン酸の産生方法であって、
(a)  ミオイノシトールを組換え的に産生されたミオイノシトールオキシゲナーゼと接触させてグルクロネートを産生し；
(b)  グルクロネートをグロネートに変換し；
(c)  グロネートをグロノ-γ-ラクトンに変換し；そして
(d)  グロノ-γ-ラクトンをアスコルビン酸に変換する
ことを含む上記方法。
【請求項１２】
ミオイノシトールのグルクロン酸への酸化が細胞内で起こる、請求項１に記載の方法。
【請求項１３】
ミオイノシトールのグルクロン酸への酸化が細胞外で起こる、請求項１に記載の方法。
【手続補正書】
【提出日】平成16年3月9日(2004.3.9)
【手続補正１】
【補正対象書類名】明細書
【補正対象項目名】００２０
【補正方法】変更
【補正の内容】
【００２０】
図３Ａ、図３Ｂ及び図３Ｃは、本発明の好適な１実施形態の種々のコンフィギュレーションを示す。図３Ａについては、第１の表３０において、S2が高レベル（Ｈ）のときは、レベルシフティングダイオード（レベルシフトダイオード）がイネーブルにされて（図２参照）、「電力レール（または、Ｐレール（prail）。以下同じ）」、すなわち低下された電圧が切換スイッチに出力される、ということが示されている。この選択されたレベルシフティングは、他の信号の影響を受けない。
【手続補正２】
【補正対象書類名】明細書
【補正対象項目名】００２２
【補正方法】変更
【補正の内容】
【００２２】
図２、図３Ａ、図３Ｂ及び図３Ｃについては、論理コントローラ２６が、OE信号、S信号、及び、バイト選択入力を受け入れ、図３Ａ、図３Ｂ及び図３Ｃの表の組み合わせに従ってNMOS切換スイッチ２４を駆動するスイッチイネーブル信号２８を生成する。
【手続補正３】
【補正対象書類名】明細書
【補正対象項目名】００３３
【補正方法】変更
【補正の内容】
【００３３】
【図１】従来技術によるバススイッチを示す略図である。
【図２】本発明の１実施形態の略ブロック図である。
【図３Ａ】真理値表を示す。
【図３Ｂ】真理値表を示す。
【図３Ｃ】  真理値表を示す。
【図４】論理回路の略図である。
【図５】論理回路の略図である。
【図６】プログラム可能なダイオードの略図である。
【図７】NMOS切換スイッチの略図である。
【手続補正書】
【提出日】平成16年5月21日(2004.5.21)
【手続補正１】
【補正対象書類名】明細書
【補正対象項目名】００５７
【補正方法】変更
【補正の内容】
【００５７】
図4から28まで、本発明の方法を用いて伝達され得るその他のシンボル例が示される。図において、左側に、それぞれ、選択かつ伝達され得るシンボル（画像）が表示され、他方、右側に、それぞれ、割り当てられた言語表現が示される。図2の中で序数“1”、“2”、“3”・・・“x”を付けられた序数は、たとえば、それぞれ、図面の中に表示されて、割り当てられた（場合によって‐表示のように‐判読できる単語として作り出された）文字列つきのシンボルに対応する。送信前に、その個別のシンボルは、対応する文字列に変換され、希望した音響列“m”が選択される。
【手続補正２】
【補正対象書類名】図面
【補正対象項目名】図３
【補正方法】変更
【補正の内容】
【図３】
2004536506.tif 000001
【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】  差別的に活性化可能な重層形質をトランスジェニック細胞又は生物に導入する方法であって、その方法が
a)初期細胞又は生物を得る工程、
b)複数の形質を作用細胞又は生物に導入する工程であって、それにより、この目的に対する形質が、遺伝子により与えられた使用可能な形質及び遺伝子経路により与えられた使用可能な形質を含む工程、及び
c)工程a)及びb)から得られた情報を分析する工程
を含むことを特徴とする方法。
【請求項２】  工程c)が細胞又は生物の全体論的モニタリングを更に含み、それにより全体論的モニタリングが、複数の検出可能な機能、身体的パラメーター及び／又は複数の検出可能な分子のプロフィールの検出及び／又は測定を含み得る、請求の範囲第１項記載の方法。
【請求項３】  全体論的モニタリングが、全ての検出可能な機能、身体的パラメーター及び／又は全ての検出可能な分子のプロフィールの検出及び／又は測定を含み得る、請求の範囲第２項記載の方法。
【請求項４】  検出可能な機能及び／又は身体的パラメーターが、形態学、挙動、成長又は刺激に対する応答性を含み、
検出可能な分子のプロフィールが、核酸、タンパク質、炭水化物、プロテオグリカン、糖タンパク質、又は脂質のプロフィールを含む、請求の範囲第１項記載の方法。
【請求項５】  工程b)が少なくとも15の重層形質、少なくとも50の重層形質又は少なくとも100の重層形質の導入を含む、請求の範囲第１項記載の方法。
【請求項６】  工程c)が、下記の方法：
a)ゲノミクス、
b)トランスクリプトム特性決定又はRNAプロファイリング、
c)プロテオミクス、
d)メタボロミクス又は代謝産物の分析、及び／又は
e)リピドミクス又は脂質プロファイリング
の一つ又はいずれかの組み合わせを利用することによる細胞特性のスクリーニングを更に含む、請求の範囲第１項記載の方法。
【請求項７】  プロテオミクスがアミノ酸反応性標識の使用を含む、請求の範囲第６項記載の方法。
【請求項８】  実時間代謝フラックス分析を使用することによる新規表現型又は修飾表現型の全細胞操作方法であって、その方法が
(a)細胞の遺伝子組成を修飾することにより修飾細胞をつくる工程、
(b)修飾細胞を培養して複数の修飾細胞を生じる工程、
(c)工程(b)の細胞培養物を実時間でモニターすることにより細胞の少なくとも一つの代謝パラメーターを測定する工程、及び
(d)工程(c)のデータを分析して測定されたパラメーターが同様の条件下の未修飾細胞中の匹敵するパラメーターと異なるのかを測定する工程
を含み、それにより実時間代謝フラックス分析を使用して細胞中の操作された表現型を同定することを特徴とする方法。
【請求項９】  細胞の遺伝子組成を、細胞への核酸又はポリペプチドの添加を含む方法により修飾する、請求の範囲第８項記載の方法。
【請求項１０】  核酸が、細胞に異種の核酸又は細胞に相同の核酸を含む、請求の範囲第９項記載の方法。
【請求項１１】  細胞の遺伝子組成を、細胞中の配列の欠失又は配列の修飾を含む方法、又は、遺伝子の発現の修飾又はノックアウトを含む方法により修飾する、請求の範囲第８項記載の方法。
【請求項１２】  細胞の遺伝子組成を、遺伝子の発現の修飾又はノックアウトを含む方法により修飾する、請求の範囲第８項記載の方法。
【請求項１３】  新たに操作された表現型を含む細胞を選択することを更に含む、請求の範囲第８項記載の方法。
【請求項１４】  選択された細胞を培養し、それにより新たに操作された表現型を含む新規細胞株を生じることを更に含む、請求の範囲第１３項記載の方法。
【請求項１５】  新たに操作された表現型がポリペプチドの増加又は減少された発現又は量、mRNA転写産物の増加又は減少された量、相同又は異種遺伝子の増加又は減少された発現、毒素に対する増加又は減少された耐性又は感受性、代謝産物の増加又は減少された耐性使用又は生産、細胞による化合物の増加又は減少された摂取、代謝の増加又は減少された速度、及び増加又は減少された成長速度からなる群から選ばれる、請求の範囲第１３項記載の方法。
【請求項１６】  工程(a)における相同遺伝子の修飾が相同遺伝子の発現のノックアウトを含む、請求の範囲第８項記載の方法。
【請求項１７】  細胞が哺乳類細胞、ヒト細胞、菌類細胞、酵母細胞、植物細胞及び昆虫細胞からなる群から選ばれる、請求の範囲第８項記載の方法。
【請求項１８】  実時間モニタリングが複数の代謝パラメーターを同時に測定する、請求の範囲第８項記載の方法。
【請求項１９】  複数の代謝パラメーターの実時間モニタリングが細胞成長モニター装置の使用を含む、請求の範囲第１８項記載の方法。
【請求項２０】  経時の測定される代謝パラメーターの変化を実時間モニタリングするためのコンピュータ実施プログラムの使用を更に含む、請求の範囲第１９項記載の方法。
【手続補正書】
【提出日】平成15年7月11日(2003.7.11)
【手続補正１】
【補正対象書類名】明細書
【補正対象項目名】特許請求の範囲
【補正方法】変更
【補正の内容】
【特許請求の範囲】
【請求項１】
ヒトSRC-2をコードする核酸分子を標的とする長さ8〜30の核塩基のアンチセンス化合物であって、ヒトSRC-2に特異的にハイブリダイズし、そしてその発現を阻害する、前記アンチセンス化合物。
【請求項２】
アンチセンスオリゴヌクレオチドである、請求項1に記載のアンチセンス化合物。
【請求項３】
請求項1に記載のアンチセンス化合物および医薬的に許容可能な担体または希釈剤を含む、医薬組成物。
【請求項４】
ヒト細胞または組織においてSRC-2の発現を阻害する方法であって、前記細胞または組織と請求項1に記載のアンチセンス化合物とを接触させ、それによりSRC-2の発現を阻害することを含む、前記方法。
【請求項５】
SRC-2の発現を阻害することによりSRC-2と関連する疾患または症状を有するヒトを治療するための、治療的または予防的有効量の請求項1に記載のアンチセンス化合物を含む、医薬組成物。
【手続補正書】
【提出日】平成16年3月1日(2004.3.1)
【手続補正１】
【補正対象書類名】特許請求の範囲
【補正対象項目名】請求項６
【補正方法】変更
【補正の内容】
【請求項６】
請求項４または５に記載の方法において、前記忘却係数を適用することにより、先に計測した速度値サンプルに比較して、近時に計測した速度値サンプルに、より大きなウェイトを与えることを特徴とする方法。
【手続補正２】
【補正対象書類名】明細書
【補正対象項目名】００１５
【補正方法】変更
【補正の内容】
【００１５】
本発明によれば、上述の速度のゲイン係数および速度のゼロ係数は、忘却係数によって更新する。この忘却係数は、指数係数である。本方法では、この忘却係数を適用することにより、先に計測した速度値サンプルに比較して、近時に計測した速度値サンプルに、より大きなウェイトを与える。
【手続補正書】
【提出日】平成17年3月9日(2005.3.9)
【手続補正１】
【補正対象書類名】特許請求の範囲
【補正対象項目名】請求項１６
【補正方法】変更
【補正の内容】
【請求項１６】
前記ポリマーがペプチドであること、及び、該ペプチドが、それぞれのペプチドの内部における特定のアミノ酸にリン酸成分を添加することで前記改変ペプチドを変質させるキナーゼのための基質であることを特徴とする、請求項１４に記載の方法。
【手続補正２】
【補正対象書類名】特許請求の範囲
【補正対象項目名】請求項３６
【補正方法】変更
【補正の内容】
【請求項３６】
前記配置手段によって与えられる前記基質分子が、蛍光標識を有する、請求項３５に記載の装置。
【手続補正３】
【補正対象書類名】特許請求の範囲
【補正対象項目名】請求項３７
【補正方法】変更
【補正の内容】
【請求項３７】
前記基質分子が改変ペプチドである、請求項３６に記載の装置。
【手続補正書】
【提出日】平成16年1月16日(2004.1.16)
【手続補正１】
【補正対象書類名】特許請求の範囲
【補正対象項目名】全文
【補正方法】変更
【補正の内容】
【特許請求の範囲】
【請求項１】
約１〜約６０重量％の水と、約１〜約６０重量％のＨＦＣ−２４５ｆａと、約９８〜約１０重量％の１，１，１，２−テトラフルオロエタンとから本質的になる共沸性組成物であって、１４．５７psiaにおける沸点が−２５．８０℃±４である共沸性組成物。
【請求項２】
約１〜約３０重量％の水と、約１〜約３０重量％のＨＦＣ−２４５ｆａと、約９８〜約４０重量％の１，１，１，２−テトラフルオロエタンとから本質的になる、請求項１に記載の共沸性組成物。
【請求項３】
約１〜約１０重量％の水と、約１〜約１０重量％のＨＦＣ−２４５ｆａと、約９８〜約７０重量％の１，１，１，２−テトラフルオロエタンとから本質的になる、請求項１に記載の共沸性組成物。
【請求項４】
請求項１に記載の共沸性組成物を含んでなる発泡剤組成物。
【請求項５】
請求項１に記載の組成物を含んでなる揮発性発泡剤の存在下で、反応してポリウレタンフォームおよびポリイソシアヌレートフォームを生成する成分を混合したものを、反応および発泡させることを含む、ポリウレタンフォームおよびポリイソシアヌレートフォームの製造方法。
【請求項６】
請求項１に記載の共沸性組成物を含んでなる発泡剤の存在下で、ポリイソシアネートまたはポリイソシアヌレートを発泡させることによって調製された独立気泡のフォーム組成物。
【請求項７】
請求項１に記載の共沸性組成物を含んでなる発泡剤とポリオールとのプレミックス。
【請求項８】
請求項１に記載の組成物を含んでなる噴射剤とスプレー用材料とを含んでなる、スプレー可能な組成物。
【請求項９】
前記スプレー可能な組成物がエーロゾルである、請求項８に記載のスプレー可能な組成物。
【請求項１０】
前記スプレー可能な組成物が化粧品材料である、請求項９に記載のスプレー可能な組成物。
【請求項１１】
前記スプレー用材料が医薬材料である、請求項９に記載のスプレー可能な組成物。
【請求項１２】
１，１，１，２−テトラフルオロエタンとＨＦＣ−２４５ｆａと水との混合物を蒸留して、共沸となる濃度を超えて存在している１，１，１，２−テトラフルオロエタンから、１，１，１，２−テトラフルオロエタンとＨＦＣ−２４５ｆａと水とから本質的になる共沸組成物または共沸性組成物を分離する工程を含む、１，１，１，２−テトラフルオロエタンから水を除去する方法。
【請求項１３】
請求項４に記載の発泡剤から調製される気泡内ガスを含む独立気泡のフォーム。
【手続補正書】
【提出日】平成16年2月4日(2004.2.4)
【手続補正１】
【補正対象書類名】特許請求の範囲
【補正対象項目名】全文
【補正方法】変更
【補正の内容】
【特許請求の範囲】
【請求項１】
冷却剤ガスとの組み合わせで、有効量の潤滑剤とビスマス化合物とを含む、空調設備、冷蔵庫またはヒートポンプの冷却剤ガスに有用な非ハロゲン化金属コンディショナー及び極圧潤滑剤添加剤。
【請求項２】
潤滑剤がポリアルファオレフィン系のオイルを含むことを特徴とする請求項1の非ハロゲン化金属コンディショナー及び極圧潤滑剤添加剤。
【請求項３】
潤滑剤が、ポリアルファオレフィン系のオイル、メチルエステル系のオイル及び脂肪酸エステル系のオイルの混合物である請求項1の非ハロゲン化金属コンディショナー及び極圧潤滑剤添加剤。
【請求項４】
ビスマス化合物がカルボン酸ビスマスである請求項1の非ハロゲン化金属コンディショナー及び極圧潤滑剤添加剤。
【請求項５】
カルボン酸ビスマスが、ネオカプリン酸ビスマス、2エチルヘキサン酸ビスマス、ナフテン酸ビスマス、及びその混合物のグループから選択される請求項4の非ハロゲン化金属コンディショナー及び極圧潤滑剤添加剤。
【請求項６】
（a）ビスジチオカルバミン酸塩化合物と、（b）カルボン酸塩、ジチオカルバミン酸塩、及びフォスフォロジチオエーツのビスマス化合物との組成物が添加される請求項1の非ハロゲン化金属コンディショナー及び極圧潤滑剤添加剤。
【請求項７】
モリブデン化合物が摩擦防止添加剤として添加される請求項1の非ハロゲン化金属コンディショナー及び極圧潤滑剤添加剤。
【請求項８】
漏れ検出に役立つトレーサー染料が添加される請求項1の非ハロゲン化金属コンディショナー及び極圧潤滑剤添加剤。
【請求項９】
請求項1の組成物を前記冷凍装置に添加する、冷凍装置の潤滑性を高めるための方法。
【請求項１０】
潤滑油、
ビスマスカルボン酸塩の極性が与えられた極圧添加剤、
粘性向上剤、
モリブデン化合物摩擦防止添加剤、
及び／また冷却装置の圧縮機ガスに伴う酸スカベンジャー／安定剤と、
を有効量有する、冷却剤ガスに有用な非ハロゲン化金属コンディショナー及び極圧潤滑剤添加剤。
【請求項１１】
成分 パーセント
潤滑油                        64.00
ビスマスカルボン酸塩          27.00
粘性向上剤                    4.00
モリブデン化合物              5.00
を有する、冷却剤ガスに有用な非ハロゲン化金属コンディショナー及び極圧潤滑剤添加剤。
【請求項１２】
存在する成分として重量ベースで、
潤滑油が40から70パーセント
ビスマスカルボン酸塩が約20から40パーセントの範囲で存在し、
粘性向上剤として約1から8パーセントのオレフィン混合物がエチレンとプロピレンのコポリマーとしてシステムで利用され、
モリブデン化合物が約0.1から8パーセント導入でき、
任意に、約1から3パーセントのエポキシ化トリグリセリドが酸スカベンジャー及び／または安定剤としてシステム内に採用でき、
任意に、約0.1から8パーセントの追加のビスマス化合物が導入できる、
請求項1の圧縮機冷却剤ガスに有用な非ハロゲン化金属コンディショナー及び極圧潤滑剤添加剤。
【請求項１３】
存在する成分として重量ベースで、
ポリアルファオレフィン系のオイルが約28から38パーセントであり、
メチルエステル系オイルが約24から33パーセントであり、
脂肪酸エステル系のオイルが約2から5パーセントであり、
カルボン酸ビスマスが約23パーセントから32パーセントの範囲で存在し、
粘性向上剤として約3から5パーセントのオレフィン混合物がエチレン及びプロピレンのコポリマーとしてシステムで利用され、
モリブデン化合物が約0.1から8パーセント導入でき、
任意で、約1から3パーセントのエポキシ化トリグリセリドが酸スカベンジャー及び／または安定剤としてシステム内に採用できる、
請求項1の圧縮機ガスに有用な非ハロゲン化金属コンディショナー及び極圧潤滑剤添加剤。
【請求項１４】
ビスマス化合物と、
モリブデン化合物と、
潤滑油と
を有効量で有する非ハロゲン化金属コンディショナー及び極圧潤滑剤添加剤。
【請求項１５】
成分 パーセント
ビスマス化合物        20 - 40
モリブデン化合物      1 - 20
潤滑油                40 - 70
を有する請求項14の非ハロゲン化金属コンディショナー及び極圧潤滑剤添加剤。
【請求項１６】
成分 パーセント
ビスマス化合物        30
モリブデン化合物      6
潤滑油                64
を有する請求項15の非ハロゲン化金属コンディショナー及び極圧潤滑剤添加剤。
【請求項１７】
冷却剤ガスをさらに有する請求項14の非ハロゲン化金属コンディショナー及び極圧潤滑剤添加剤。
【請求項１８】
内部を循環する冷却剤ガスを有する装置であって、極圧、耐摩耗性及び摩擦防止特性を与えるために冷却剤ガスに潤滑材が添加される装置を運転するための方法であって、改良として、極性を与える物質としてハロゲン化合物または硫黄化合物の代わりに有効量のビスマス化合物を潤滑剤に添加する段階を有し、それにより腐食及び環境上の問題が実質的に減少し、同時に装置の効率、寿命及び信頼性が改善される方法。
【請求項１９】
改良として、有効量のモリブデン化合物を潤滑剤に添加する段階をさらに有する請求項18の方法。
【請求項２０】
2エチルヘキサン酸ビスマス及びネオカプリン酸ビスマスからなるグループから選択されるビスマス化合物を有する潤滑剤用添加剤。
【請求項２１】
請求項20の添加剤を伴う潤滑油を有する冷却システムにおける循環ガス。
【請求項２２】
ビスマス化合物は重量で添加剤の約20〜40パーセントである請求項20の添加剤。
【請求項２３】
亜鉛を含まない請求項20の添加剤。
【手続補正書】
【提出日】平成15年12月12日(2003.12.12)
【手続補正１】
【補正対象書類名】特許請求の範囲
【補正対象項目名】全文
【補正方法】変更
【補正の内容】
【特許請求の範囲】
【請求項１】
一般式；Ｍ（ＣｌＯ４）ｋ
（式中、ＭはＬｉ、Ｎａ、Ｋ、Ｍｇ、Ｃａ、Ｓｒ、Ｚｎ、Ａｌ、Ｌａ、Ｃｅ、または一般式ＮＲ４＋（Ｒはそれぞれ独立してＨまたは炭素数１〜１０の直鎖状または分岐状のアルキル基である。）で表されるアンモニアのカチオンであり、ｋはＭの原子価であって１、２、または３である。）
で表されるハロゲン含有オキシ酸の塩、および無機酸、有機酸または無機塩基を少なくとも含む組成物であって、前記ハロゲン含有オキシ酸の塩の総含有量に対して、結晶粒径が３μｍより大きい前記塩の結晶の含有量が１０％未満であることを特徴とする安定化剤組成物。
【請求項２】
前記ハロゲン含有オキシ酸の塩の総含有量に対して、結晶粒径が１００ｎｍより大きい前記塩の結晶の含有量が１０重量％未満であることを特徴とする請求項１に記載の安定化剤組成物。
【請求項３】
アルカリ土類金属水酸化物を含むことを特徴とする請求項１または２記載の安定化剤組成物。
【請求項４】
少なくともさらに１種の添加剤を含むことを特徴とする請求項１〜３のいずれか１項に記載の安定化剤組成物。
【請求項５】
ハロゲン含有オキシ酸または２種以上のハロゲン含有オキシ酸の混合物の水溶液を、無機酸または有機酸の無水物、無機塩基の無水物、またはそれら２種以上の混合物と反応させて、反応物を形成することを特徴とするハロゲン含有ポリマー用安定化剤組成物の製造方法。
【請求項６】
反応中に無機塩基が形成されることを特徴とする請求項５に記載の方法。
【請求項７】
前記水溶液が前記ハロゲン含有オキシ酸の塩または２種以上の前記ハロゲン含有オキシ酸の塩の混合物を少なくとも１０重量％含むことを特徴とする請求項５または６に記載の方法。
【請求項８】
結晶粒径が２００ｎｍより大きい前記ハロゲン含有オキシ酸の塩の結晶が前記ハロゲン含有オキシ酸の塩の総含有量に対して１０重量％未満反応中に形成されることを特徴とする請求項５〜７のいずれか１項に記載の方法。
【請求項９】
前記反応物を１種以上の添加剤と混合することを特徴とする請求項５〜８のいずれか１項に記載の方法。
【請求項１０】
ハロゲン含有ポリマーおよび請求項１〜４のいずれか１項記載の安定化剤組成物を少なくとも含有するポリマー組成物。
【手続補正書】
【提出日】平成16年4月2日(2004.4.2)
【手続補正１】
【補正対象書類名】特許請求の範囲
【補正対象項目名】全文
【補正方法】変更
【補正の内容】
【特許請求の範囲】
【請求項１】
水性ポリマー組成物であって、
少なくとも1種の親水性モノマーと少なくとも1種の疎水性エチレン系不飽和モノマーとを有するコポリマー、および
水を含んでなり、
ここで、前記水性ポリマー組成物は、実質的に安定化界面活性剤を有しない溶液または分散液であり、そして前記水性ポリマー組成物から形成されたフィルムは実質的に架橋を含まない、組成物。
【請求項２】
前記ポリマー組成物から形成されたフィルムはいったん形成されると水に不溶性である、請求項1に記載の組成物。
【請求項３】
前記水性ポリマー組成物は透明である、請求項1に記載の組成物。
【請求項４】
請求項1に記載のポリマー組成物、および
充填剤、抗菌剤および抗微生物剤、顔料、香料、界面活性剤、ビルダー、コビルダー、酸化防止剤、酵素、増白剤、分散剤、消泡剤、防腐剤、水軟化剤、日焼け止め剤およびそれらの混合物から成る群から選択される成分
を含んでなる表面保護配合物。
【請求項５】
前記ポリマー組成物から形成されたフィルムはいったん形成すると水に不溶性である、請求項4に記載の配合物。
【請求項６】
揮発性塩基を含まない、請求項4に記載の配合物。
【請求項７】
前記コポリマー組成物から形成されたフィルムが酸性またはアルカリ性クリーニング溶液で除去可能である、請求項4に記載の配合物。
【請求項８】
前記コポリマーがスターポリマーである、請求項4に記載の配合物。
【請求項９】
前記水性ポリマー組成物が透明である、請求項4に記載の配合物。
【請求項１０】
表面保護配合物に基づいて0.00001〜40質量％の前記水性ポリマー組成物を含んでなる、請求項4に記載の配合物。
【請求項１１】
固形分／固形分基準で0.1〜20質量％の前記コポリマーを含んでなる、請求項4に記載の配合物。
【請求項１２】
支持体、および
前記支持体の少なくとも1つの表面上に、請求項1に記載の水性ポリマー組成物から形成されたフィルム
を含んでなる被覆された支持体。
【請求項１３】
前記支持体が木材、金属、ガラス、セラミック、革、コンクリート、布帛、繊維材料、プラスチック、ビニール、カーペット、紙、椅子張り材料、岩石、毛および皮膚から成る群から選択される、請求項12に記載の被覆された支持体。
【手続補正書】
【提出日】平成16年3月29日(2004.3.29)
【手続補正１】
【補正対象書類名】特許請求の範囲
【補正対象項目名】全文
【補正方法】変更
【補正の内容】
【特許請求の範囲】
【請求項１】
木材複合材料と、高加圧ラミネートとを含んでなり、ここで木材複合材料が高加圧ラミネートに少なくとも１種のポリ酢酸ビニル乳濁液を含んでなる発泡接着剤を使用して接着されている製品。
【請求項２】
発泡接着剤が２０〜６０容積％発泡されている、請求項１に記載の製品。
【請求項３】
発泡接着剤が少なくとも２種のポリ酢酸ビニルのブレンド物を含んでなる、請求項１に記載の製品。
【請求項４】
発泡接着剤が多糖充填剤をさらに含んでなる、請求項３に記載の製品。
【請求項５】
多糖が澱粉である、請求項４に記載の製品。
【請求項６】
発泡接着剤が界面活性剤、脱泡剤、防腐剤及びＵＶインジケーターからなる群から選択される添加剤をさらに含んでなる、請求項５に記載の製品。
【請求項７】
カウンター甲板である、請求項１に記載の製品。
【請求項８】
発泡接着剤が少なくとも１種のバッチ重合により製造されたポリ酢酸ビニル及び少なくとも１種の連続重合により製造されたポリ酢酸ビニルを含んでなる、請求項３に記載の製品。
【請求項９】
５５〜８５％の前記少なくとも１種のポリ酢酸ビニル乳濁液と、５〜２０％の充填剤とを含んでなる、請求項１に記載の製品。
【手続補正書】
【提出日】平成16年2月4日(2004.2.4)
【手続補正１】
【補正対象書類名】特許請求の範囲
【補正対象項目名】全文
【補正方法】変更
【補正の内容】
【特許請求の範囲】
【請求項１】
金属含有材料から価値のある金属を回収するためのプロセスであって、以下の工程：
該金属含有材料から少なくとも１つの価値のある金属を遊離する傾向にある反応プロセスに、該金属含有材料を供する工程；
該反応プロセスへと少なくとも１つのシード剤を取り込む工程であって、該シード剤が、該反応プロセスからの固体種の結晶化および／または成長のための核形成部位を形成し得る、工程；
該反応プロセスから生成物を得る工程であって、ここで、少なくとも１つの価値のある金属が該生成物中に存在する、工程；および
該生成物から該少なくとも１つの価値のある金属を抽出する工程、
を包含する、プロセス。
【請求項２】
前記シード剤が、前記反応プロセスからの残留物の少なくとも一部を含む、請求項１に記載の金属含有材料から価値のある金属を回収するためのプロセス。
【請求項３】
前記反応プロセスからの前記残留物に存在する金属を、前記シード剤として該残留物を使用する前に回収する工程をさらに包含する、請求項２に記載の金属含有材料から価値のある金属を回収するためのプロセス。
【請求項４】
前記シード剤が、前記反応プロセスの副生成物ではない、請求項１に記載の金属含有材料から価値のある金属を回収するためのプロセス。
【請求項５】
前記反応プロセスに複数のシード剤を加える工程をさらに包含する、請求項１に記載の金属含有材料から価値のある金属を回収するためのプロセス。
【請求項６】
前記価値のある金属が、銅、金、銀、ニッケル、コバルト、モリブデン、亜鉛、レニウム、ウラン、希土類金属、および白金族金属からなる群より選択される、請求項１に記載の金属含有材料から価値のある金属を回収するためのプロセス。
【請求項７】
前記残留物に存在する前記金属が、銅、金、銀、ニッケル、コバルト、モリブデン、亜鉛、レニウム、ウラン、希土類金属、および白金族金属からなる群より選択される、請求項２に記載の金属含有材料から価値のある金属を回収するためのプロセス。
【請求項８】
電解採取を使用して、前記反応プロセスの前記生成物から前記価値のある金属を抽出する工程をさらに包含する、請求項１に記載の金属含有材料から価値のある金属を回収するためのプロセス。
【請求項９】
前記反応プロセスが、圧力浸出を包含する、請求項１に記載の金属含有材料から価値のある金属を回収するためのプロセス。
【請求項１０】
前記反応プロセスが、約１７０℃〜約２３５℃の温度において圧力浸出する工程を包含する、請求項９に記載の金属含有材料から価値のある金属を回収するためのプロセス。
【請求項１１】
前記反応プロセスに金属含有材料を供する工程が、酸を生成し、そして、野積み浸出作業または攪拌浸出作業における該反応プロセスにより生成される酸の少なくとも一部を利用する工程をさらに包含する、請求項１に記載の金属含有材料から価値のある金属を回収するためのプロセス。
【請求項１２】
前記生成物から少なくとも１つの価値のある金属を抽出する工程が、該生成物から少なくとも１つの貴金属を抽出する工程を包含する、請求項１に記載の金属含有材料から価値のある金属を回収するためのプロセス。
【請求項１３】
前記生成物から少なくとも１つの価値のある金属を抽出する工程が、該生成物から金を抽出する工程を包含する、請求項１に記載の金属含有材料から価値のある金属を回収するためのプロセス。
【請求項１４】
銅を含有する材料からの貴金属の回収のためのプロセスであって、該プロセスは、該銅を含有する材料を、該銅を含有する材料から銅を遊離する反応プロセスに供し、そして該貴金属を含む残留物を形成する工程を包含し、
ここで、材料は、該反応プロセス中に存在するか、または反応プロセスにおいて生成され、該プロセスは、該反応プロセスを不動態化するか、または該貴金属をカプセル化するのいずれかにより、該残留物からの該貴金属の遅い遊離を防ぎ、
改良点として、シード剤を該反応プロセスに導入して、該反応プロセスの間に存在するかまたは該反応プロセスの間に生成される該材料が、該反応プロセスを不動態化するか、または該貴金属をカプセル化することを防ぐことを包含し、該シード剤が、該反応プロセスからの固体種の結晶化および／または成長のための核形成部位を形成し得る、プロセス。
【請求項１５】
前記シード剤が、鉄および他の金属沈殿生成物に対する核形成部位を形成し得る材料を含む、請求項１４に記載の改良されたプロセス。
【請求項１６】
前記シード剤が、ヘマタイトに対する核形成部位を形成し得る材料を含む、請求項１５に記載の改良されたプロセス。
【請求項１７】
前記シード剤が、ヘマタイトを含む、請求項１６に記載の改良されたプロセス。
【請求項１８】
金属回収プロセスであって、該プロセスは、以下の工程：
（ａ）  少なくとも１つの価値のある金属および少なくとも１つの貴金属を含む金属含有材料を提供する工程；
（ｂ）  該金属含有材料を、該少なくとも１つの価値のある金属を遊離する反応プロセスに供する工程；
（ｃ）  シード剤を該反応プロセスに加えて、該反応プロセスが、該反応プロセスを不動態化するか、または該少なくとも１つの価値のある金属をカプセル化することを防ぎ、該シード剤が、該反応プロセスからの固体種の結晶化および／または成長のための核形成部位を形成し得る、工程；
（ｄ）  該少なくとも１つの価値のある金属を回収する工程、
を包含する、プロセス。
【請求項１９】
（ｅ）前記金属含有材料から、少なくとも１つの貴金属を回収する工程をさらに包含する、請求項１８に記載のプロセス。
【請求項２０】
前記貴金属回収工程がシアン化物浸出を包含し、該シアン化物浸出が、シアン化物減弱シアン化物浸出尾鉱を生じる、請求項１９に記載のプロセス。
【請求項２１】
前記シード剤を加える工程が、前記シアン化物減弱シアン化物浸出尾鉱を、前記反応プロセスに再利用する工程を包含する、請求項２０に記載のプロセス。
【手続補正書】
【提出日】平成16年1月22日(2004.1.22)
【手続補正１】
【補正対象書類名】特許請求の範囲
【補正対象項目名】全文
【補正方法】変更
【補正の内容】
【特許請求の範囲】
【請求項１】
車両のシャーシ（２）と上部構造（３）とを備えた、特に掘削機（１）またはローダである車両、および、前記車両のシャーシ（２）上で前記上部構造（３）を変位させるための装置（１０）であって、前記上部構造（３）は、運転者の運転台（７）と、工具（６）を備えたブーム（５）と、前記シャーシに対して前記上部構造（３）を回転させるための回転駆動装置（１５または２６）とを支持し、前記回転駆動装置（１５または２６）および前記シャーシ（２）内の油圧式装置に対する動作圧が、前記上部構造（３）に生じ、前記上部構造（３）は、前記回転駆動装置（１５または２６）と係合することによって駆動される駆動リング（１６または２３）を介して前記シャーシ（２）に接続され、
前記装置（１０）は、偏心板（１１）および／または変位板（２１）を有し、前記偏心板（１１）および／または変位板（２１）は、前記上部構造の前記駆動リング（１６または２３）を支持し、変位軸受（１３）またはガイド（２２）を介して前記シャーシ（２）に接続され、前記装置（１０）は、上部構造（３）とシャーシ（２）との間に圧力手段のダクト（１２または２４）を有することを特徴とする、車両。
【請求項２】
前記駆動リング（１６）は、前記回転駆動装置（１５）と係合し、前記偏心板（１１）の上側に配置されることを特徴とする、請求項１に記載の車両。
【請求項３】
前記駆動リング（２３）は、前記変位板（２１）の下に配置され、前記変位板（２１）を通って延びる前記回転駆動装置（２６）は、前記駆動リング（２３）と係合することを特徴とする、請求項１に記載の車両。
【請求項４】
前記偏心板（１１）の、偏心して位置付けられた変位軸受（１３）は、前記変位板（２１）に取付けられることを特徴とする、請求項２に記載の車両。
【請求項５】
前記偏心板（１１）の下側に位置付けられた変位軸受（１３）によって特徴付けられ、
その中心軸（１９）は、前記駆動リング（１６）の中心軸（１８）に偏心して位置付けられる、請求項２に記載の車両。
【請求項６】
車両の通常動作（１）の間に、前記変位軸受（１３）を固定するロック（１４）によって特徴付けられる、請求項５に記載の車両。
【請求項７】
前記上部構造（３）を変位させるために、前記変位軸受（１３，１４）は解除されて、前記上部構造（３）は、前記ブーム（５）を用いて地面上に固定されることを特徴とする、請求項６に記載の車両。
【請求項８】
前記上部構造（３）は、前記回転駆動装置（１５）を作動させることによって変位されることを特徴とする、請求項７に記載の車両。
【請求項９】
動作圧を前記上部構造（２）から前記シャーシ（３）に伝えるための、前記偏心板（１１）内の偏心回転ダクト（１２）によって特徴付けられる、請求項２から請求項８のいずれかに記載の車両。
【請求項１０】
前記変位板（２１）のための線形ガイド（２２）によって特徴付けられる、請求項３に記載の車両。
【請求項１１】
前記車両（１）の通常動作中に、それによって前記ガイド（２２）に前記変位板（２１）が固定されるロック（２５）によって特徴付けられる、請求項１０に記載の車両。
【請求項１２】
前記ガイド（２２）内の変位動作を制限するための、前記変位板（２１）上の止め（２７）によって特徴付けられる、請求項１１に記載の車両。
【請求項１３】
前記回転駆動装置（２６）は、前記ロック（２５）が開放された後に、前記上部構造（３）の変位を行なうことを特徴とする、請求項１２に記載の車両。
【請求項１４】
前記シャーシ（２）に対する油圧の動作圧のための回転ダクト（２４）によって特徴付けられる、請求項３に記載の車両。
【手続補正２】
【補正対象書類名】明細書
【補正対象項目名】００１２
【補正方法】変更
【補正の内容】
【００１２】
この発明の変位装置１０は、図３ａ、図３ａ′および図３ａ″のいずれにも示された、この例においては掘削機である車両で用いられる。変位装置１０は、タイヤまたはチェーンと油圧式駆動手段４とが設けられたシャーシ２と、掘削ショベル６等の工具を含むブーム５、運転者の運転台７、および後部８が設けられた掘削機１の上部構造３との間に、回転および／または滑動して変位することが可能な接続を確保する。この発明の変位装置１０を用いた、シャーシ２と上部構造３との間の接続は、車両、すなわち掘削機１またはローダの作業能力に対して多数の著しい利点を有する。これらの利点のいくつかを、図３ｂ′および図３ｃ′〜図３ｂ″および図３ｃ″の例を用いて、ならびに、図５および図６を用いて説明することができる。
【手続補正３】
【補正対象書類名】明細書
【補正対象項目名】００２１
【補正方法】変更
【補正の内容】
【００２１】
図２に従った実施例では、上部構造３内の動作圧の生成器と、シャーシ２内の油圧式装置（油圧式エンジン、圧力シリンダ等）との間で作動液を流動させるために、標準的な回転ダクト２４が適切である。
【手続補正書】
【提出日】平成16年2月18日(2004.2.18)
【手続補正１】
【補正対象書類名】特許請求の範囲
【補正対象項目名】全文
【補正方法】変更
【補正の内容】
【特許請求の範囲】
【請求項１】
（ａ）モノビニリデン芳香族ポリマーマトリックス；及び（ｂ）その中に分散させたゴム粒子からなり、該ゴム粒子がポリマー主鎖中の１０，０００炭素原子当たり１以下の長鎖分岐を含む実質上線状構造をもち、５〜１，０００センチポイズの溶液粘度及び５〜１２０のムーニー粘度をもつジエンゴムから製造されることを特徴とするゴム変性モノビニリデン芳香族ポリマー。
【請求項２】
ゴムが２０〜８００センチポイズの溶液粘度及び２０〜９０のムーニー粘度をもつ請求項１記載のゴム変性モノビニリデン芳香族ポリマー。
【請求項３】
ゴムがポリマー主鎖中の１１，０００炭素原子当たり１以下の長鎖分岐をもつ請求項１又は２記載のゴム変性モノビニリデン芳香族ポリマー。
【請求項４】
ゴムが０．１〜１０ミクロンの体積平均粒子径をもつ粒子として分散している請求項１〜３のいずれか１項記載のゴム変性モノビニリデン芳香族ポリマー。
【請求項５】
ゴム粒子が小粒子及び大粒子の形態で分散しており、小粒子の体積平均粒子径が約０．１〜約２μｍで大粒子の体積平均粒子径が２〜６μｍである請求項１〜４のいずれか１項記載のゴム変性モノビニリデン芳香族ポリマー。
【請求項６】
ジエンゴムがポリブタジエンである請求項１〜５のいずれか１項記載のゴム変性モノビニリデン芳香族ポリマー。
【請求項７】
ジエンゴムが実質上線状の成分が少なくとも２５重量％であるような１以上のゴムの混合物である請求項１〜５のいずれか１項記載のゴム変性モノビニリデン芳香族ポリマー。
【請求項８】
（ａ）モノビニリデン芳香族モノマー及び溶解したジエンゴムを含む反応混合物を反応器手段に連続的に供給し、（ｂ）反応器手段中で溶解したジエンゴムの存在下に相転移が引き続いて起こる条件下にてモノビニリデン芳香族モノマーを連続的に重合し、（ｃ）反応器手段からジエンゴム強化モノビニリデン芳香族ポリマーを連続的に取り出す諸工程からなるゴム変性モノビニリデン芳香族ポリマーの製造方法において、（ｄ）反応混合物に溶解させるジエンゴムがポリマー主鎖中の１０，０００炭素原子当たり１以下の長鎖分岐を含む実質上線状構造をもち、５〜１，０００センチポイズの溶液粘度及び５〜１２０のムーニー粘度、及び３０以上の１，４シス含量をもち、そして所望により、（ｅ）適切量のグラフト開始剤及び所望のゴム粒子径分布を得るのに十分なレベルの反応器の撹拌を用いることを特徴とするゴム変性モノビニリデン芳香族ポリマーの製造方法。
【請求項９】
該方法がさらに（ｅ）所望のゴム粒子径及び粒子径分布を達成するために反応混合物中に二つの異なったジエンゴムのブレンド物を用いることからなる請求項８記載の製造方法。
【請求項１０】
請求項１〜７のいずれか１項記載のゴム変性ポリマーから製造される物品。